(57)【特許請求の範囲】
【請求項１】
電源配線、基準配線、第１出力配線、第２出力配線及び複数のメサ型ゲージが主面に設けられている基板と、
前記基板に接合する力伝達ブロックと、を備え、
前記複数のメサ型ゲージは、第１メサ型ゲージ、第２メサ型ゲージ、第３メサ型ゲージ及び第４メサ型ゲージを有し、
前記第１メサ型ゲージと前記第２メサ型ゲージは、前記電源配線と前記基準配線の間に直列に接続されており、前記第１メサ型ゲージが前記電源配線側に接続されており、前記第２メサ型ゲージが前記基準配線側に接続されており、
前記第３メサ型ゲージと前記第４メサ型ゲージは、前記電源配線と前記基準配線の間に直列に接続されており、前記第３メサ型ゲージが前記電源配線側に接続されており、前記第４メサ型ゲージが前記基準配線側に接続されており、
前記第１メサ型ゲージと前記第２メサ型ゲージの組と前記第３メサ型ゲージと前記第４メサ型ゲージの組は、前記電源配線と前記基準配線の間で並列に接続されており、
前記第１メサ型ゲージと前記第２メサ型ゲージの間に前記第１出力配線が接続されており、
前記第３メサ型ゲージと前記第４メサ型ゲージの間に前記第２出力配線が接続されており、
前記第１メサ型ゲージ、前記第２メサ型ゲージ、前記第３メサ型ゲージ及び前記第４メサ型ゲージはいずれも、第１方向に沿って伸びており、
前記第１メサ型ゲージ及び前記第４メサ型ゲージの第１組に対する前記力伝達ブロックの接触面積と前記第２メサ型ゲージ及び前記第３メサ型ゲージの第２組に対する前記力伝達ブロックの接触面積が異なっており、
前記基板は、前記複数のメサ型ゲージが設けられている検知部の周囲を一巡して前記力伝達ブロックに接合する封止部を有し、
前記第１方向に直交する第２方向において、前記力伝達ブロックとの接触面積が相対的に大きい方の組に含まれる一方の前記メサ型ゲージの前記封止部に対する位置関係と前記力伝達ブロックとの接触面積が相対的に大きい方の組に含まれる他方の前記メサ型ゲージの前記封止部に対する位置関係が等しい、力検知装置。
【請求項２】
前記力伝達ブロックは、前記第１組と前記第２組のいずれか一方の組に接し、他方の組に接しない、請求項１に記載の力検知装置。
【請求項３】
前記力伝達ブロックとの接触面積が相対的に大きい方の組に含まれる前記メサ型ゲージの各々は、前記封止部で囲まれる領域の中心点を間に置いて前記第２方向に並んで配置されている、請求項１又は２に記載の力検知装置。
【請求項４】
前記第１メサ型ゲージ、前記第２メサ型ゲージ、前記第３メサ型ゲージ及び前記第４メサ型ゲージは、矩形の角に対応して配置されており、
前記第１メサ型ゲージと前記第４メサ型ゲージが対角に配置されており、
前記第２メサ型ゲージと前記第３メサ型ゲージが対角に配置されている、請求項１又は２に記載の力検知装置。
【請求項５】
前記力伝達ブロックとの接触面積が相対的に大きい方の組に含まれる前記メサ型ゲージの各々は、前記封止部で囲まれる領域の中心点を間に置いて前記第１方向に並んで配置されている、請求項１又は２に記載の力検知装置。
【発明の詳細な説明】
【技術分野】
【０００１】
本明細書で開示する技術は、ピエゾ抵抗効果を利用する力検知装置に関する。
【背景技術】
【０００２】
ピエゾ抵抗効果を利用する力検知装置が開発されており、その一例が特許文献１に開示されている。この種の力検知装置は、基板及び力伝達ブロックを備える。基板の主面には、ブリッジ回路を構成する複数のメサ型ゲージが設けられている。例えば、ブリッジ回路を構成する複数のメサ型ゲージは、矩形の辺に対応して配置されている。力伝達ブロックは、複数のメサ型ゲージの頂面に接するように設けられている。力伝達ブロックがメサ型ゲージを押圧すると、メサ型ゲージに加わる圧縮応力が増大し、メサ型ゲージの電気抵抗値がピエゾ抵抗効果によって変化する。この電気抵抗値の変化から力伝達ブロックに加わる力が検知される。
【先行技術文献】
【特許文献】
【０００３】
【特許文献１】特開２００１−３０４９９７号公報
【発明の概要】
【発明が解決しようとする課題】
【０００４】
この種の力検知装置では、オフセット電圧を低減することが望まれている。オフセット電圧を低減するためには、メサ型ゲージに圧縮応力が加わっていないときに、ブリッジ回路を構成する複数のメサ型ゲージの各々の抵抗値を等しくする必要がある。通常、この種の力検知装置では、対称性を考慮し、複数のメサ型ゲージの各々の幅及び長さは共通形状とされている。このため、複数のメサ型ゲージの各々の抵抗値は、一致すると考えられていた。しかしながら、本発明者らの検討の結果、複数のメサ型ゲージを共通形状としても、複数のメサ型ゲージの各々の抵抗値が一致しないことが分かってきた。これは、ブリッジ回路を構成する複数のメサ型ゲージにおいて、結晶方向が異なることが理由であると考えられる。本明細書は、オフセット電圧が低減される力検知装置を提供することを目的とする。
【課題を解決するための手段】
【０００５】
本明細書で開示する力検知装置の一実施形態は、基板及び力伝達ブロックを備える。基板の主面には、電源配線、基準配線、第１出力配線、第２出力配線及び複数のメサ型ゲージが設けられている。力伝達ブロックは、基板に接合する。複数のメサ型ゲージは、第１メサ型ゲージ、第２メサ型ゲージ、第３メサ型ゲージ及び第４メサ型ゲージを有する。第１メサ型ゲージと第２メサ型ゲージは、電源配線と基準配線の間に直列に接続されている。第１メサ型ゲージが電源配線側に接続されており、第２メサ型ゲージが基準配線側に接続されている。第３メサ型ゲージと第４メサ型ゲージは、電源配線と基準配線の間に直列に接続されている。第３メサ型ゲージが電源配線側に接続されており、第４メサ型ゲージが基準配線側に接続されている。第１メサ型ゲージと第２メサ型ゲージの組と第３メサ型ゲージと第４メサ型ゲージの組は、電源配線と基準配線の間に並列に接続されている。第１メサ型ゲージと第２メサ型ゲージの間に第１出力配線が接続されている。第３メサ型ゲージと第４メサ型ゲージの間に第２出力配線が接続されている。第１メサ型ゲージ、第２メサ型ゲージ、第３メサ型ゲージ及び第４メサ型ゲージはいずれも、第１方向に沿って伸びている。第１メサ型ゲージ及び第４メサ型ゲージの第１組に対する力伝達ブロックの接触面積と第２メサ型ゲージ及び第３メサ型ゲージの第２組に対する力伝達ブロックの接触面積が異なる。
【０００６】
上記実施形態の力検知装置では、ブリッジ回路を構成する複数のメサ型ゲージのいずれも第１方向に沿って伸びているので、それらのメサ型ゲージの結晶方向が同一となる。このため、複数のメサ型ゲージの各々の抵抗値が等しくなり、オフセット電圧が低減される。
【図面の簡単な説明】
【０００７】
【図１】図１は、実施例の力検知装置の分解斜視図を模式的に示しており、半導体基板と力伝達ブロックが接合する縁を破線で示すとともに、半導体基板と力伝達ブロックで構成される封止空間の範囲を破線で示す。
【図２】図２は、実施例の力検知装置が備える半導体基板の平面図を模式的に示しており、半導体基板と力伝達ブロックが接合する縁を破線で示すとともに、半導体基板と力伝達ブロックで構成される封止空間の範囲を破線で示す。
【図３】図３は、図２のIII-III線に対応した断面図を模式的に示す。
【図４】図４は、実施例の力検知装置が備える力伝達ブロックを示しており、半導体基板に接合する面を模式的に示す。
【図５】図５は、変形例の力検知装置が備える半導体基板の平面図を模式的に示しており、半導体基板と力伝達ブロックが接合する縁を破線で示すとともに、半導体基板と力伝達ブロックで構成される封止空間の範囲を破線で示す。
【図６】図６は、変形例の力検知装置が備える半導体基板の平面図を模式的に示しており、半導体基板と力伝達ブロックが接合する縁を破線で示すとともに、半導体基板と力伝達ブロックで構成される封止空間の範囲を破線で示す。
【発明を実施するための形態】
【０００８】
以下、本明細書で開示される技術の特徴を整理する。なお、以下に記す事項は、各々単独で技術的な有用性を有している。
【０００９】
本明細書で開示される力検知装置の一実施形態は、各種圧力を検知するセンサであり、一例では、気圧又は液圧を検知対象としてもよい。この力検知装置は、基板と力伝達ブロックを備えていてもよい。基板の材料は、圧縮応力に応じて電気抵抗が変化するピエゾ抵抗効果が現われるものが望ましい。例えば、基板としては、半導体基板及びＳＯＩ基板が例示される。基板の主面には、電源配線、基準配線、第１出力配線、第２出力配線及び複数のメサ型ゲージが設けられている。電源配線、基準配線、第１出力配線及び第２出力配線は、基板の主面の一部に構成されてもよく、基板の主面上に配設されてもよい。力伝達ブロックは、基板に接合する。複数のメサ型ゲージは、第１メサ型ゲージ、第２メサ型ゲージ、第３メサ型ゲージ及び第４メサ型ゲージを有する。第１メサ型ゲージと第２メサ型ゲージは、電源配線と基準配線の間に直列に接続されている。第１メサ型ゲージが電源配線側に接続されており、第２メサ型ゲージが基準配線側に接続されている。第３メサ型ゲージと第４メサ型ゲージは、電源配線と基準配線の間に直列に接続されている。第３メサ型ゲージが電源配線側に接続されており、第４メサ型ゲージが基準配線側に接続されている。第１メサ型ゲージと第２メサ型ゲージの組と第３メサ型ゲージと第４メサ型ゲージの組は、電源配線と基準配線の間に並列に接続されている。第１メサ型ゲージと第２メサ型ゲージの間に第１出力配線が接続されている。第３メサ型ゲージと第４メサ型ゲージの間に第２出力配線が接続されている。第１メサ型ゲージ、第２メサ型ゲージ、第３メサ型ゲージ及び第４メサ型ゲージはいずれも、第１方向に沿って伸びている。第１メサ型ゲージ及び第４メサ型ゲージの第１組に対する力伝達ブロックの接触面積と第２メサ型ゲージ及び第３メサ型ゲージの第２組に対する力伝達ブロックの接触面積が異なる。上記実施形態の力検知装置では、４つのメサ型ゲージがいずれも同一方向に沿って伸びているので、４つのメサ型ゲージの電気抵抗値は応力に対して同様に変化する。第１メサ型ゲージ及び第４メサ型ゲージの第１組に対する力伝達ブロックの接触面積と第２メサ型ゲージ及び第３メサ型ゲージの第２組に対する力伝達ブロックの接触面積が異なるので、これらのメサ型ゲージで構成されるブリッジ回路は、力伝達ブロックに加わる力に対して出力を変化させることができる。
【００１０】
力伝達ブロックは、第１メサ型ゲージ及び第４メサ型ゲージの第１組と第２メサ型ゲージ及び第３メサ型ゲージの第２組のいずれか一方の組に接し、他方の組に接しなくてもよい。この力伝達装置では、第１組と第２組のいずれか一方の組のメサ型ゲージのみに力伝達ブロックを介して力が伝達され、その組のメサ型ゲージがブリッジ回路の可変抵抗体として機能し、他方の組のメサ型ゲージがブリッジ回路の固定抵抗体として機能する。この力伝達装置は、高感度な特性を有することができる。
【００１１】
基板は、複数のメサ型ゲージが設けられている検知部の周囲を一巡して力伝達ブロックに接合する封止部を有していてもよい。この場合、第１方向に直交する第２方向において、力伝達ブロックとの接触面積が相対的に大きい方の組に含まれる一方のメサ型ゲージの封止部に対する位置関係と力伝達ブロックとの接触面積が相対的に大きい方の組に含まれる他方のメサ型ゲージの封止部に対する位置関係が等しい。この力検知装置では、力伝達ブロックとの接触面積が相対的に大きい方の組に含まれるメサ型ゲージの各々に伝達される力が等しくなり、力に対する出力の線形性が向上する。
【００１２】
力伝達ブロックとの接触面積が相対的に大きい方の組に含まれるメサ型ゲージの各々は、封止部で囲まれる領域の中心点を間に置いて第２方向に並んで配置されていてもよい。
【００１３】
第１メサ型ゲージ、第２メサ型ゲージ、第３メサ型ゲージ及び第４メサ型ゲージは、矩形の角に対応して配置されていてもよい。この場合、第１メサ型ゲージと第４メサ型ゲージが対角に配置されており、第２メサ型ゲージと第３メサ型ゲージが対角に配置されている。
【００１４】
力伝達ブロックとの接触面積が相対的に大きい方の組に含まれるメサ型ゲージの各々は、封止部で囲まれる領域の中心点を間に置いて第１方向に並んで配置されていてもよい。
【実施例１】
【００１５】
図１に示されるように、力検知装置１は、例えば、圧力容器の容器内圧を検知する半導体圧力センサであり、半導体基板２及び力伝達ブロック４を備える。
【００１６】
図１，２に示されるように、半導体基板２は、ｎ型の単結晶シリコンであり、その主面２Ｓが（１１０）結晶面である。半導体基板２の主面２Ｓには複数の溝１１が形成されている。複数の溝１１は、半導体基板２の主面２Ｓの検知部１０内に形成されており、その検知部１０内に複数のメサ型ゲージ１２，１４，１６，１８を画定する。
【００１７】
図１，２，３に示されるように、メサ型ゲージ１２，１４，１６，１８は、溝１１の底面からメサ状に突出しており、その高さは約０．５〜５μｍである。メサ型ゲージ１２，１４，１６，１８の頂面は、溝１１の周囲の半導体基板２の主面２Ｓと同一面に位置する。即ち、メサ型ゲージ１２，１４，１６，１８は、例えばドライエッチング技術を利用して、半導体基板２の主面２Ｓに複数の溝１１を形成した残部として形成される。
【００１８】
図１，２に示されるように、検知部１０のメサ型ゲージ１２，１４，１６，１８はいずれも、半導体基板２の＜１１０＞方向に沿って伸びている。半導体基板２の＜１１０＞方向に伸びるメサ型ゲージ１２，１４，１６，１８は、圧縮応力に応じて電気抵抗値が大きく変化することを特徴としており、ピエゾ抵抗効果を有する。また、メサ型ゲージ１２，１４，１６，１８の各々の幅及び長さは共通である。なお、メサ型ゲージ１２，１４，１６，１８の幅とは、長手方向に直交する方向の幅であり、この例では、半導体基板２の＜１００＞方向の幅となる。
【００１９】
図１，２，３に示されるように、メサ型ゲージ１２，１４，１６，１８の表面には、ｐ型不純物が導入されたゲージ部１２ａ，１４ａ，１６ａ，１８ａが形成されている。ゲージ部１２ａ，１４ａ，１６ａ，１８ａの不純物濃度は、約１×１０１８〜１×１０２１ｃｍ−３である。ゲージ部１２ａ，１４ａ，１６ａ，１８ａの不純物濃度及び拡散深さは、メサ型ゲージ１２，１４，１６，１８の各々において共通である。ゲージ部１２ａ，１４ａ，１６ａ，１８ａは、ｐｎ接合によって、ｎ型の半導体基板２から実質的に絶縁されている。
【００２０】
図１，２に示されるように、半導体基板２は、主面２Ｓにｐ型不純物が導入された配線１３，１７，２２，２４，２６，２８を有する。配線１３，１７，２２，２４，２６，２８の不純物濃度は、約１×１０１８〜１×１０２１ｃｍ−３である。配線１３，１７，２２，２４，２６，２８は、メサ型ゲージ１２，１４，１６，１８のゲージ部１２ａ，１４ａ，１６ａ，１８ａと同一の工程で形成される。
【００２１】
メサ型ゲージ１２，１４，１６，１８は、検知部１０内にフルブリッジ回路を構成する。第１メサ型ゲージ１２のゲージ部１２ａと第２メサ型ゲージ１４のゲージ部１４ａは、電源配線２６と基準配線２２の間に直列に接続されている。第３メサ型ゲージ１６のゲージ部１６ａと第４メサ型ゲージ１８のゲージ部１８ａは、電源配線２６と基準配線２２の間に直列に接続されている。第１メサ型ゲージ１２のゲージ部１２ａと第２メサ型ゲージ１４のゲージ部１４ａの組と第３メサ型ゲージ１６のゲージ部１６ａと第４メサ型ゲージ１８のゲージ部１８ａの組は、電源配線２６と基準配線２２の間に並列に接続されている。
【００２２】
第１メサ型ゲージ１２のゲージ部１２ａと第２メサ型ゲージ１４のゲージ部１４ａの間の第１接続配線１３に第１出力配線２４が接続されている。第３メサ型ゲージ１６のゲージ部１６ａと第４メサ型ゲージ１８のゲージ部１８ａの間の第２接続配線１７に第２出力配線２８が接続されている。
【００２３】
基準配線２２は、基準電極３２に電気的に接続する。第１出力配線２４は、第１出力電極３４に電気的に接続する。電源配線２６は、電源電極３６に電気的に接続する。第２出力配線２８は、第２出力電極３８に電気的に接続する。これらの電極３２，３４，３６，３８は、半導体基板２の主面２Ｓ上に設けられており、力伝達ブロック４で覆われる範囲外に配置されている。基準配線２２及び電源配線２６は幅広に構成されており、それらの抵抗値は、メサ型ゲージ１２，１４，１６，１８のゲージ部１２ａ，１４ａ，１６ａ，１８ａの抵抗値に対して無視できるほどに小さい。第１出力配線２４の抵抗値と第２出力配線２８の抵抗値は、等しくなるように構成されている。
【００２４】
図１，３に示されるように、力伝達ブロック４は、直方体形状を有しており、シリコン層４ａと酸化シリコン層４ｂを有する。半導体基板２と力伝達ブロック４は、常温個相接合技術を利用して接合される。具体的には、アルゴンイオンを用いて半導体基板２の主面２Ｓ及び力伝達ブロック４の酸化シリコン層４ｂの表面を活性化させた後に、超高真空中で半導体基板２の主面２Ｓと力伝達ブロック４の酸化シリコン層４ｂの表面を接触させ、両者を接合させる。
【００２５】
図３，４に示されるように、力伝達ブロック４の酸化シリコン層４ｂの一部が除去されており、力伝達ブロック４の半導体基板２と接合する側の面に溝４ｃが形成されている。溝４ｃが形成されていることにより、力伝達ブロック４の酸化シリコン層４ｂは、封止部分４０ａと押圧部分４０ｂに区画されている。また、このような溝４ｃが形成されていることにより、半導体基板２と力伝達ブロック４の間には、外部から隔てられた封止空間６が構成される。
【００２６】
力伝達ブロック４の封止部分４０ａは、メサ型ゲージ１２，１４，１６，１８の周囲を一巡するように、半導体基板２の主面２Ｓに接合する。半導体基板２のうちの力伝達ブロック４の封止部分４０ａが接合する部分を封止部２０という。力伝達ブロック４の封止部分４０ａが矩形状に構成されているので、半導体基板２の封止部２０は、メサ型ゲージ１２，１４，１６，１８の長手方向と平行な部分とメサ型ゲージ１２，１４，１６，１８の長手方向に直交する部分で構成される。半導体基板２の封止部２０と力伝達ブロック４の封止部分４０ａは、気密に接合する。
【００２７】
力伝達ブロック４の押圧部分４０ｂは、第１メサ型ゲージ１２と第４メサ型ゲージ１８の頂面に選択的に接合しており、第２メサ型ゲージ１４と第３メサ型ゲージ１６の頂面に接合しない。力伝達ブロック４の押圧部分４０ｂが第１メサ型ゲージ１２に接触する接触面積と力伝達ブロック４の押圧部分４０ｂが第４メサ型ゲージ１８に接触する面積は等しい。
【００２８】
次に、力検知装置１の動作を説明する。まず、力検知装置１は、電源電極３６に定電流源が接続され、基準電極３２が接地され、第１出力電極３４と第２出力電極３８の間に電圧測定器が接続して用いられる。力検知装置１では、力伝達ブロック４に加わる容器内圧が変化すると、力伝達ブロック４を介して第１メサ型ゲージ１２のゲージ部１２ａ及び第４メサ型ゲージ１８のゲージ部１８ａに加わる圧縮応力も変化する。第１メサ型ゲージ１２のゲージ部１２ａ及び第４メサ型ゲージ１８のゲージ部１８ａは、ピエゾ抵抗効果が現われるので、その電気抵抗値は圧縮応力に比例して変化する。一方、第２メサ型ゲージ１４のゲージ部１４ａ及び第３メサ型ゲージ１６のゲージ部１６ａには圧縮応力が加わらないので、その電気抵抗値は変わらない。このため、第１出力電極３４と第２出力電極３８の電位差は、第１メサ型ゲージ１２のゲージ部１２ａ及び第４メサ型ゲージ１８のゲージ部１８ａに加わる圧縮応力に比例する。これにより、電圧測定器で計測される電圧変化から力伝達ブロック４に加わる容器内圧が検知される。
【００２９】
力検知装置１では、メサ型ゲージ１２，１４，１６，１８はいずれも、半導体基板２の＜１１０＞方向に沿って伸びている。このため、ブリッジ回路を構成する４つのメサ型ゲージ１２，１４，１６，１８がいずれも同一方向に沿って伸びているので、それら４つのメサ型ゲージ１２，１４，１６，１８の結晶方向が同一となる。４つのメサ型ゲージ１２，１４，１６，１８の幅及び長さが共通なので、圧縮応力が加わっていないときの４つのメサ型ゲージ１２，１４，１６，１８の各々の抵抗値は、極めて良好に一致する。これにより、力検知装置１では、オフセット電圧が低減される。
【００３０】
力検知装置１は、力伝達ブロック４によって半導体基板２の検知部１０が封止される封止型構造を有する。このような力検知装置１では、第１メサ型ゲージ１２及び第４メサ型ゲージ１８に加わる圧縮応力は、封止空間６内の第１メサ型ゲージ１２及び第４メサ型ゲージ１８の位置に依存する。この例では、図２に示されるように、第１メサ型ゲージ１２と第４メサ型ゲージ１８が半導体基板２の＜１１０＞方向に沿って伸びているので、第１メサ型ゲージ１２及び第４メサ型ゲージ１８に加わる圧縮応力は、半導体基板２の＜１００＞方向における封止空間６内の第１メサ型ゲージ１２及び第４メサ型ゲージ１８の位置に依存する。
【００３１】
力検知装置１では、半導体基板２の＜１００＞方向において、第１メサ型ゲージ１２と半導体基板２の封止部２０（第１メサ型ゲージ１２の長手方向と平行な封止部２０の部分であり、図２の紙面右側の封止空間６の縁に相当する）の間の最短距離と第４メサ型ゲージ１８と半導体基板２の封止部２０（第４メサ型ゲージ１８の長手方向と平行な封止部２０の部分であり、図２の紙面左側の封止空間６の縁に相当する）の間の最短距離が等しい。さらに、力検知装置１では、半導体基板２の＜１００＞方向において、第１メサ型ゲージ１２と半導体基板２の封止部２０（第１メサ型ゲージ１２の長手方向と平行な封止部２０の部分であり、図２の紙面左側の封止空間６の縁に相当する）の間の最短距離と第４メサ型ゲージ１８と半導体基板２の封止部２０（第４メサ型ゲージ１８の長手方向と平行な封止部２０の部分であり、図２の紙面右側の封止空間６の縁に相当する）の間の最短距離が等しい。即ち、力検知装置１では、半導体基板２の＜１００＞方向において、第１メサ型ゲージ１２の封止部２０に対する位置関係と第４メサ型ゲージ１８の封止部２０に対する位置関係が等しい。これにより、力伝達ブロック４に加わる力に対して第１メサ型ゲージ１２及び第４メサ型ゲージ１８の各々に伝達される力が等しくなるので、力伝達ブロック４に加わる力に対する出力の線形性が向上する。また、第１メサ型ゲージ１２と第４メサ型ゲージ１８が、半導体基板２の＜１００＞方向において、封止空間６を３等分した位置関係に配置されていると、力伝達ブロック４に加わる力に対する出力の線形性がさらに向上する。
【００３２】
さらに、力検知装置１では、第１メサ型ゲージ１２と第４メサ型ゲージ１８が、封止空間６の中心点６ａを間に置いて半導体基板２の＜１００＞方向に並んで配置されている。第１メサ型ゲージ１２と第４メサ型ゲージ１８が、封止空間６の中心点６ａに対して点対称に設けられている。このため、力伝達ブロック４に加わる力が、第１メサ型ゲージ１２及び第４メサ型ゲージ１８の頂面の各々に均等に伝達されるので、力伝達ブロック４に加わる力に対する出力の線形性がさらに向上する。
【００３３】
さらに、力検知装置１の検知部１０では、複数のメサ型ゲージ１２，１４，１６，１８及び接続配線１３，１７が封止空間６の中心点６ａに対して点対称に配置されている。これにより、ブリッジ回路を構成する各抵抗体の抵抗値が等しくなるので、力検知装置１のオフセット電圧はさらに低減される。
【００３４】
上記の複数のメサ型ゲージ１２，１４，１６，１８のレイアウトに代えて、以下のようなレイアウトであってもよい。なお、以下の説明では、共通する構成要素に共通の符号を付し、その説明を省略する。
【００３５】
図５に示す例では、第１メサ型ゲージ１２、第２メサ型ゲージ１４、第３メサ型ゲージ１６及び第４メサ型ゲージ１８が、矩形の角に対応して配置されている。第１メサ型ゲージ１２と第４メサ型ゲージ１８が、対角に配置されている。第２メサ型ゲージ１４と第３メサ型ゲージ１６が、対角に配置されている。力伝達ブロック４は、第１メサ型ゲージ１２と第４メサ型ゲージ１８の頂面に選択的に接合しており、第２メサ型ゲージ１４と第３メサ型ゲージ１６の頂面に接合しない。
【００３６】
この例でも、半導体基板２の＜１００＞方向において、第１メサ型ゲージ１２と半導体基板２の封止部２０（第１メサ型ゲージ１２の長手方向と平行な封止部２０の部分であり、図５の紙面右側の封止空間６の縁に相当する）の間の最短距離と第４メサ型ゲージ１８と半導体基板２の封止部２０（第４メサ型ゲージ１８の長手方向と平行な封止部２０の部分であり、図５の紙面左側の封止空間６の縁に相当する）の間の最短距離が等しい。さらに、半導体基板２の＜１００＞方向において、第１メサ型ゲージ１２と半導体基板２の封止部２０（第１メサ型ゲージ１２の長手方向と平行な封止部２０の部分であり、図５の紙面左側の封止空間６の縁に相当する）の間の最短距離と第４メサ型ゲージ１８と半導体基板２の封止部２０（第４メサ型ゲージ１８の長手方向と平行な封止部２０の部分であり、図５の紙面右側の封止空間６の縁に相当する）の間の最短距離が等しい。即ち、半導体基板２の＜１００＞方向において、第１メサ型ゲージ１２の封止部２０に対する位置関係と第４メサ型ゲージ１８の封止部２０に対する位置関係が等しい。
【００３７】
これにより、力伝達ブロック４に加わる力に対して第１メサ型ゲージ１２及び第４メサ型ゲージ１８の各々に伝達される力が等しくなるので、力伝達ブロック４に加わる力に対する出力の線形性が向上する。さらに、第１メサ型ゲージ１２と第４メサ型ゲージ１８が、封止空間６の中心点６ａに対して点対称に設けられている。このため、力伝達ブロック４に加わる力が、第１メサ型ゲージ１２及び第４メサ型ゲージ１８の頂面の各々に均等に伝達されるので、力伝達ブロック４に加わる力に対する出力の線形性がさらに向上する。
【００３８】
図６に示す例では、第１メサ型ゲージ１２と第４メサ型ゲージ１８が、封止空間６の中心点６ａを間に置いて半導体基板２の＜１１０＞方向に並んで配置されている。力伝達ブロック４は、第１メサ型ゲージ１２と第４メサ型ゲージ１８の頂面に選択的に接合しており、第２メサ型ゲージ１４と第３メサ型ゲージ１６の頂面に接合しない。
【００３９】
この例では、第１メサ型ゲージ１２と第４メサ型ゲージ１８の双方が、半導体基板２の＜１００＞方向において、封止空間６を２等分した位置関係に配置されている。即ち、半導体基板２の＜１００＞方向において、第１メサ型ゲージ１２の封止部２０に対する位置関係と第４メサ型ゲージ１８の封止部２０に対する位置関係が等しい。
【００４０】
これにより、力伝達ブロック４に加わる力に対して第１メサ型ゲージ１２及び第４メサ型ゲージ１８の各々に伝達される力が等しくなるので、力伝達ブロック４に加わる力に対する出力の線形性が向上する。さらに、第１メサ型ゲージ１２と第４メサ型ゲージ１８が、封止空間６の中心点６ａに対して点対称に設けられている。このため、力伝達ブロック４に加わる力が、第１メサ型ゲージ１２及び第４メサ型ゲージ１８の頂面の各々に均等に伝達されるので、力伝達ブロック４に加わる力に対する出力の線形性がさらに向上する。
【００４１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４２】
１：力検知装置
２：半導体基板
４：力伝達ブロック
１０：検知部
１２：第１メサ型ゲージ
１４：第２メサ型ゲージ
１６：第３メサ型ゲージ
１８：第４メサ型ゲージ
２２：基準配線
２４：第１出力配線
２６：電源配線
２８：第２出力配線
３２：基準電極
３４：第１出力電極
３６：電源電極
３８：第２出力電極
【図１】
0006285889.tif 000002
【図２】
0006285889.tif 000003
【図３】
0006285889.tif 000004
【図４】
0006285889.tif 000005
【図５】
0006285889.tif 000006
【図６】
0006285889.tif 000007